(57)【要約】【課題】簡単に装着でき、鍔の位置が容易に移動しない竹刀用鍔止めを提供すること。【解決手段】竹刀１の柄４の柄元４ａに柄頭４ｂから装着した鍔７に前記柄頭４ｂから本体１１を当接させて前記鍔７の移動を阻止する竹刀用鍔止め１０において、本体１１は、装着された際に第一穴１４ａの周縁部が曲げ延ばされて柄４を締め付け包摂する第一弾性シート１４と、第一弾性シート１４に沿わされ、第一穴１４ａより大きな第二穴１５ａの周縁部が第一穴１４ａの周縁部と協同して鍔７の移動を阻止する第二弾性シート１５とを有する竹刀用鍔止め１０としている。【選択図】  図１
2004313355.tif 000002
【特許請求の範囲】
【請求項１】
竹刀の柄の柄元に柄頭から装着した鍔に前記柄頭側から本体を当接させて前記鍔の移動を阻止する竹刀用鍔止めにおいて、
前記本体は、装着された際に第一穴の周縁部が曲げ延ばされて前記柄を締め付け抱接する第一弾性シートと、該第一弾性シートに沿わされ、前記第一穴より大きな第二穴の周縁部が前記第一穴の周縁部と協同して前記鍔の移動を阻止する第二弾性シートとを有することを特徴とする竹刀用鍔止め。
【請求項２】
請求項１において、前記第一穴は前記柄元の外径より十分小さく、前記第二穴は前記柄元の外径より僅かに小さいことを特徴とする竹刀用鍔止め。
【請求項３】
請求項１又は２のいずれかにおいて、前記本体は、前記第一弾性シート又は前記第二弾性シートに沿って設けられる保形性環状帯を備えていることを特徴とする竹刀用鍔止め。
【発明の詳細な説明】
【０００１】
【発明の属する技術分野】
この発明は、剣道で使用される竹刀に装着された鍔を、稽古中の竹刀や体等との干渉によっても移動させず固定させる竹刀用鍔止めに関するものである。
【０００２】
【従来の技術】
従来からこの種の鍔止めとしては、図３，図４に示すような物が知られている。
図中１は、竹刀であり、一般に四本の長尺竹片を併せて出来た刀身部２の先端に先革３を、後端に柄４を差し込み、この先革３と柄４とを弦５で結び、竹刀１の中間部を中結６で締めて構成されている。柄４は、有底筒状で、鍔７が柄頭４ｂから柄元４ａの折り返し部４ｃに当たるまで差し込まれ、鍔止め８が同様に鍔７に当接するまで押し込まれて鍔７が固定されている。鍔止め８は、鍔７の外径より小さな円盤状で、一面が平らで、他面が断面円弧状に膨らんでおり、中央に柄４が通る穴８ａが設けられている。そして鍔止め８は、その材質がゴムのように弾力性があり、装着時、穴８ａの直径方向に延ばされて柄４との間に大きな摩擦を発生させ、容易に滑らないようにしている。
【０００３】
【発明が解決しようとする課題】
しかしながら、稽古中、竹刀や体等によって鍔７に矢印Ｆの大きな力が掛かったとき、ある程度までは鍔止め８によって移動を阻止するが、限度を超えると、鍔止め８が図７の二点鎖線に示すように鍔７に押されて反対に反った形状になる。すなわち、穴８ａの鍔７側と反対の周囲が支点となり、反らされて鍔７側周囲が拡径した状態となっている。したがって、力Ｆに対する踏ん張りが効かないため、どんどん柄頭４ｂ側に移動してしまうという問題があった。
【０００４】
これを改善するため、鍔止めに紐を着けておき、紐を鍔に開けた穴あるいは鍔７と柄４との間を通して弦５に結わえ付ける方法が採られている。しかし、装着に時間が掛かるという問題があった。
【０００５】
そこで、この発明は、簡単に装着でき、鍔の位置が容易に移動しない竹刀用鍔止めを提供することを目的にしている。
【０００６】
【課題を解決する手段】
そこでこの目的を達成するため、請求項１の発明は、竹刀の柄の柄元に柄頭から装着した鍔に前記柄頭側から本体を当接させて前記鍔の移動を阻止する竹刀用鍔止めにおいて、前記本体は、装着された際に第一穴の周縁部が曲げ延ばされて前記柄を締め付け抱接する第一弾性シートと、該第一弾性シートに沿わされ、前記第一穴より大きな第二穴の周縁部が前記第一穴の周縁部と協同して前記鍔の移動を阻止する第二弾性シートとを有することを特徴とする竹刀用鍔止めとしている。
【０００７】
また、請求項２の発明は、請求項１において、前記請求項１において、前記第一穴は前記柄元の外径より十分小さく、前記第二穴は前記柄元の外径より僅かに小さいことを特徴とする竹刀用鍔止めとしている。
【０００８】
さらに、請求項３の発明は、請求項１又は２のいずれかにおいて、前記本体は、前記第一弾性シート又は前記第二弾性シートに沿って設けられる保形性環状帯を備えていることを特徴とする竹刀用鍔止めとしている。
【０００９】
【発明の実施の形態】
以下、この発明を図面に基づいて説明する。従来と同一ないし均等な部位部材については同一符号を付して重複した説明を省略する。
【００１０】
図１及び図２は、この発明の一実施例である。図中、１０は、竹刀１の柄４の柄元４ａに柄頭４ｂから装着した鍔７に柄頭４ｂ側から本体１１を当接させて鍔７の移動を阻止する竹刀用鍔止めである。この本体１１は、装着された際に第一穴１４ａの周縁部が曲げ延ばされて柄４を締め付け抱接する第一弾性シート１４と、この第一弾性シート１４に沿わされ、第一穴１４ａより大きな第二穴１５ａの周縁部が第一穴１５ａの周縁部と協同して鍔７の移動を阻止する第二弾性シート１５とを有している。そして、本体１１には、保形性環状帯１６が、第一弾性シート１４又は第二弾性シート１５に沿って、ここでは第一弾性シート１４に沿って設けられている。
【００１１】
本体１１は、使用者の柄４の太さによって寸法等が異なるが、薄い環状盤体を呈しており、また、ここでは円形であるが、多角形でもよく、必ずしも円形である必要はない。一例として、本体１１は、厚さが５ｍｍで、外径（７ｃｍ）が鍔７の外径（９ｃｍ）より小さく、内径（２ｃｍ）が柄元４ａの外径（２．９ｃｍ）より十分小さい。この環状盤体を呈する本体１１は、第一弾性シート１４、第二弾性シート１５及び保形性環状帯１６を２枚の表皮シート１７で両側から挟んで、これらを接着、縫製、融着等の手段で一体化されている。
【００１２】
第一弾性シート１４は、ゴムや合成ゴムのように繰り返し伸縮可能な弾力性に富んだ材料で作られ、直径２センチの第一穴１４ａを有したドーナツ盤状シートであり、例えば、厚さ１ｍｍ、外径６ｃｍ、内径２ｃｍである。第二弾性シート１５は、第一弾性シート１４とほぼ同じであるが、第一穴１４ａより大きな直径３ｃｍの第二穴１５ａを有している点で異なる。すなわち、ここでは、第一穴１４ａは柄元４ａの外径より十分小さく、第二穴１５ａは柄元４ａの外径より僅かに小さい。しかし、第二弾性シート１５は、第一穴１４ａより大きな第二穴１５ａの周縁部が第一穴１４ａの周縁部と協同して鍔７の移動を阻止すればよい。したがって、第一弾性シート１４の第一穴１４ａの周縁部が曲げ延ばされて柄元４ａを締め付け抱接し、使用中の移動を阻止する補助ができれば、第二穴１５ａが柄元４ａの外径と同じかわずかに大きくてもよい。
【００１３】
また、保形性環状帯１６は、本体１１の形状を保ちうるようにするためのもので、外径６ｃｍ、内径４ｃｍ、厚さ１ｍｍの硬質プラスチック等で作られている。表皮シート１７は、厚さ１ｍｍほどで、外径７．０ｃｍ、内径３．５ｃｍ程のドーナツ盤状シートで布、皮、合成樹脂等で、ここでは塩化ビニール樹脂のようなプラスチックで作られている。そして、第一弾性シート１４と第二弾性シート１５とを同心的に接合し、第二弾性シート１５と反対側の第一弾性シート１４に同心的に保形性環状帯１６が接合されている。しかし、この保形性環状帯１６は、第二弾性シート１５に接合されてもよく、また本体１１に使用される材料や硬度、寸法等で場合によっては不要にすることができる。
【００１４】
これら接合されたものの両側から表皮シート１７が同心的に接合されて本体１１が構成されている。接合は、前述している様に接着剤を用い、縫製をし、あるいは融着等をすることによってなされる。ここでは、デザイン性も考慮して第一弾性シート１４より外側の表皮シート１７同士が接合される部分には、図示しないステッチが施されている。
【００１５】
このような鍔止め１０の使用方法を説明する。
【００１６】
まず、竹刀１の柄４に鍔７を折り返し部４ｃに当接するまで差し込み、次に鍔止め１０の第一弾性シート１４側を鍔７に向けて第一穴１４ａを柄頭４ｂに臨ませて鍔元４ａに向かって鍔７に当接するまで押し込む。第一弾性シート１４の第一穴１４ａが柄元４ａに行くまでは拡径されて行き、柄４に入った後は第一穴１４ａの周縁部が曲げて延ばされて鍔７側の面で柄４を締め付け抱接するようになり、鍔止め１０は、図１に示すように装着される。このとき、第二弾性シート１５は、第二穴１５ａの周縁部がわずかの部分であるが曲げて延ばされ、第一弾性シート１４と協働して柄４を締め付け抱接する。
【００１７】
したがって、この第一弾性シート１４の第一穴１４ａの周縁部が柄４を締め付ける力は、強力であり、しかも第二弾性シート１５も協働するため、腰も強くなっており、鍔７に力が掛かってもその抗力は強く鍔７及び鍔止め１０が移動することはない。また、第一穴１４ａ、第二穴１５ａの周縁部は、装着前から薄い上、装着時には延ばされてさらに薄く、また第二弾性シート１５が柄４には僅かしか掛からないので握る際に何の支障もない。仕舞う際には、少々大きな力で鍔止め１０の周縁部に指をかけ、柄頭４ｂの方に移動させると、第一穴１４ａの周縁部は捲れるように柄４から離れ、今までとは逆の面が接するようにされながら鍔止め１０が取り除かれる。
【００１８】
なお、先の装着は鍔止め１０を第一弾性シート１４側から柄に差し込んでいったが、第二弾性シート１５側から差し込んでも良い。このときは、第二穴１５ａ周縁部が直接柄４に当たり、その端面での抵抗も大きい。
【００１９】
【発明の効果】
以上説明したように、請求項１の発明は、腰が強く、簡単に装着でき、鍔の位置が容易に移動しない竹刀用鍔止めを提供することが出来る。また、従来のものに比べ、厚みを薄くでき、しかも、柄に抱接している部分は薄く素手でも籠手を填めても違和感なくしっかり握ることが出来る。
【００２０】
また、請求項２の発明は、請求項１の発明の効果をより一層確実にすることが出来る。
【００２１】
さらに、請求項３の発明は、請求項１または２の効果の効果に加え、鍔止め自体の面剛性を高められるので、鍔止めの面の傾きがなくなり、着脱が容易になり、弾性シートに弾力性に富んだ材料を選択する余地を大きくすることが出来る。
【図面の簡単な説明】
【図１】この発明の鍔止めを装着した竹刀の要部正面図である。
【図２】この発明の鍔止めを示すもので、（ａ）中央断面図、（ｂ）ほぼ半分を示す正面図である。
【図３】従来の鍔止めを装着した竹刀の全体正面図である。
【図４】従来の鍔止めを装着した竹刀の要部正面図である。
【符号の説明】
１  竹刀
４  柄
７  鍔
１０  鍔止め
１１  本体
１４  第一弾性シート
１４ａ第一穴
１５  第二弾性シート
１５ａ第二穴
１６  保形性環帯
１７  表皮シート
【図１】
2004313355.tif 000003
【図２】
2004313355.tif 000004
【図３】
2004313355.tif 000005
【図４】
2004313355.tif 000006